(57)【要約】【課題】この発明は、パネルほか相手凸物が四方向き、横臥せたテーブル等、環状板バネが凸物を掴めて内径へ納まる物の殆ど対応可能にするパネルほか施用具である。【解決手段】イ、板鋼材（１）の両端部（２）へ軸受（３）を設けて、環状板バネ（４）にする、両端部の軸受へピン（５）と留めゴム（６）を施し用いることを特徴とする部品１のパネルほか施用具。ロ、板鋼材上部へ懸腕部（７）、下部へフック（８）、正面へ板バネクップ（９）を設け、裏面へマグネット（１０）を施し用いることを特徴とする部品２の請求項１へ記述したパネルほか施用具。ハ、上記の如く構成した部品１と部品２とを連繋一体化し用いることを特徴とする請求項１へ記述したパネルほか施用具。【選択図】  図１
2005344730.tif 000002
【特許請求の範囲】
【請求項１】
板鋼材の両端部へ軸受を設けて、環状板バネにする、両端部の軸受へピンと留めゴムを施し用いることを特徴とする部品１のパネルほか施用具。
【請求項２】
板鋼材上部へ懸腕部、下部へフック、正面へ板バネクリップを設け、裏面へマグネット施し用いることを特徴とする部品２の請求項１へ記述したパネルほか施用具。
【請求項３】
部品１と部品２を連繋一体化し用いることを特徴とする請求項１へ記述したパネルほか施用具。
以上の如く構成したパネルほか施用具である。
【発明の詳細な説明】
【０００１】
【発明の属する技術分野】
この発明は、数多くのパーテションパネルが存在、横厚み幅が凡そ３０ｍｍ〜６０ｍｍを中心に凡そ１０ｍｍずつ横広に成って幾種類もある、また上部パックル部分の縦厚み幅にも凡そ１０ｍｍ〜２０ｍｍまで幾種類も存在、これら異なる横厚み幅と縦厚み幅にも対応可能な方法、利便性とニーズへ応えられる用具、パネル以外にも相手物体例えば棚板、机、鴨居、吊りコード、壜ボトル等へも使用可能にする、物体を双方から掴み鋏んで装着する環状板バネ部品と是へ留め、鋏む、吊る等装備した部品とを連繋一体化した用具であり相手物体が四方向き、横臥せ、丸形状等環状バネが掴み、内径へ納まる殆どへ対応するパネルのほか施用具に関する。
【０００２】
【従来の技術】
これまでパネルには押しピン、画鋲など仮留めの気持ちで使用している、しかしメモなど僅かに物が触れただけでピンが抜け落ちる、画鋲を抜くにも爪を傷める、別パネルにはマグネットも施用している、現存する対応具には只掛けるだけの物か大掛かりなパーテションフックが在り部品を填めるか、装着時パネル幅に合せアジャストし固定する、これにフックを施している、だから物を吊る製品しか見当たらない、必要としながらこれら以外に対応できる用具が無かった。
【０００３】
【発明が解決しようとする課題】
限られたフロアスペース、机上も狭いメモ、スケジュール、周知徹底事等眼にする所で広告表示したい、しかし仕様の異なるパネル毎に異なる留め具、吊る具、マグネットでは煩雑不都合であった、したがって先ずこれを解決する、さらにパネルのみ使用を充たす狭い範囲から、幅広い使用を充たす用具を開発する。
【０００４】
【課題を解決するための手段】
請求項１、板鋼材（１）の両端部（２）へ軸受（３）を設け、焼入れて、環状板バネ（４）にする、その両端部の軸受へピン（５）を通し留めゴム（６）を圧入して施し用いることを特徴とする部品１のパネルほか施用具。
イ、外形Ｒ、荷重値、安全応力値を計算の上、適する環状板バネとする。寸法１０ｍｍを６０ｍｍまで広げた場合、外形Ｒを幾らにすれば応力がもつか、一例  Ｒ４０  荷重０，１１  応力３０，９とおよそ成る為応力内またはφ直径枠内の開口が最適である、したがって部品１を開口最大に拡げて行くと環が大きくなり楕円形となる、その為相手物が一定を超え幅広に成る毎に環状ばねφを拡げる、又開口部の双方間隔を拡げ又狭く調整すれば相手物からの食み出を抑制する。
ロ、部品１環状板バネは焼入れを施して弾性とバネ戻りを確保する、φおよびＲ形状は大小広狭、部分較差、模様図形抜き、多角形状を設けても、部材の厚み、幅調整の上何れも同一機能が可能とし相手物体と別用途対応へ強度調整の上形成することが出来る。
ハ、部品１の環状板バネ形成は線バネ、ピアノ線でもよい、いずれも焼入れを施し弾性とバネ戻りを得る、その為であれば形状記憶合金応用も可能、環状バネはどの部分へも平均負荷が架るが、特に強度を要求又は応力最大に開く場合、環状中心部幅をやや広げるか補強して対応する、またＲ中央部を部分平面にしてもよい、これに依っても環状部分が突起食み出を抑制する。
二、環状バネ両端部に設けた双方の軸受開口部間隔の基本形は双方ゴムが密着した状態が握力最大で好ましい、一方握力中程度使用方法は軸受双方を開き仕様にすることも可能である。
ホ、部品１環状板バネ中央部Ｒ位置へ軸受を設けることができる、主に縦物体を掴み挟む、後述の部品２と連携一体化し機能させる、この部分はフック受けも可能である。
ヘ、部品１板鋼材左右へＲ状を施す、予めＲ状鋼材を活用するか、バレル処理し行い尖りをとる、是にメッキ、塗装等表面処理を施す。
ト、軸受の中通しピンへ填めた留めゴムは相手物を確実に掴んでも疵付ない役割、さらに脱落防止が主務であり、この為の有効手段で有れば留めゴム自体形状を環状の他別形状も採用できる。
また後述の部品２連携した一方の片側に施す留めゴムへは隙間対応用凸部を施している、また環状バネ内側へゴムを施す事ができる。
チ、部品１環状板バネは用途別に強化プラスチック、他ＡＢＳ，ジュラコン等合成樹脂により形成する事が出来る。
リ、ゴム及びエラストマー等化学合成樹脂材で型形成し端から劣化の防止、着色と粘着性を持たせば尚よい。
【０００５】請求項２、板鋼材上部へ懸腕部（７）、下部へフック（８）、正面へ板バネクリップ（９）を設け、その裏面へマグネット（１０）を施し用いる事を特徴とした部品２請求項１へ記述したパネルほか施用具。
イ、懸腕部は部品１の軸受を抱える役割を果す、しかも部品２は固定型と懸腕部回転軸型２種類の機能を持つ。
ロ、兼用型フック、単体型フック共へ荷重対応による強度を保つ為に鋼部材の焼入れ又はパームによるバネ化、厚みを考慮する、特に荷重大に対応する為に部品２フックを部品１環状バネ内側に施し、部品１環状バネを貫いて外側で環状に沿った形状からフックを形成する。
ハ、部品２本体裏面個所のマグネットは用途別施工とする。
二、部品２を構成する部材は鋼材、アルミ、プラスチック他ＡＢＳ等合成樹脂で形成することができる、また棒状素材でもよい。
ホ、上述の如く部品２を部品１と連繋一体化できる又着脱も可能、下部でも使用可能する為、やや長身の別ユニットを部品１の軸受と連繋するか、部品２をフックと連繋するか選択できる。
ヘ、部品２へ部品１を連繋一体化する方法は多用途機能対応である、別手段には部品１環状板バネを部品２へ中通しする方法でもよい、又部品１板バネの中程を抜きフックを施しそこへ部品２を通し填める方法も有効である、簡単に懸けて抜け落ちぬ仕様方法を選択する。
ト、部品２へもＲ状を施す、Ｒ鋼材かバレル処理で尖りを無くしメッキ及び塗装等表面処理を施す。
【０００６】また、部品２へクリップタイプ、同じくフッタイプ、各々単体固定型、単体回転型とし、裏面へマグネットを施す事の選択ができる。
イ、部品２単体型形成する部材は鋼材、アルミ、強化プラスチック、ＡＢＳ等合成樹脂素材へ仕様する事ができる、その特性を活かしまたカラー仕上げもできる。
ロ、部品２クリップ位置及びフック位置は長短、広狭する事ができる、部材の特性、厚み、強度によりバネ化有無の選択ができる、Ｒ鋼材およびバレル処理しメッキ及び塗装表面処理を施す。
【０００７】請求項３、上記の如く構成した部品１と部品２を連繋一体化し用いることを特徴とする請求項１へ記述したパネルほか施用具。
イ、部品１の軸受を部品２の懸腕部が抱えピンを押し填め次に留めゴムを圧入して連携した部品１および部品２はおよそ９０度折曲する、また部品２が回転軸の作用で横四方へ回転する。
【０００８】
【発明の実施の形態】
以下図面に副って実施の形態を説明する。
【０００９】図１は、兼用型構成例を示す用具の全体正面図である。
１、板鋼材（１）の両端部（２）へ軸受（３）を設け、焼入れて、環状板バネ（４）にする、その両端部の軸受へピン（５）を通し、留めゴム（６）圧入して施し用いることを特徴とする部品１のパネルほか施用具。
イ、この部品１目的の主体はパネルパーテーション等の上部パックルが横長に成っており、ここを上部から環状板バネの両端双方を開きながら押し填めると留めゴムがパネルほか物体両面を掴み、内径へ納める役割を行う、したがって相手物を損傷しないから部品１自体でも書類留め用具の活用が出来る、本体が約９０度折曲する為パネルの他応用すればテーブル、棚板、こども机の如く横臥せた物体、自動車室内丸形状把手を掴み鋏む、軸受の作用が働き吊り下がった状態にも成り、縦横形状対応し多様な施用を可能にする。
ロ、軸受は両端双方へ施工しており、軸受へピンを挿入、そのピンへ留めゴムを圧入する、後述の同じ部品２を取付ければパネル両面での使用可能、環状板バネ内側へ相手物保護上ゴムおよびエラストマー等施す事ができる。
尚、部品１は線バネ、ピアノ線で形成又は構成しても目的と効果を得る事ができる、用途別対応には留めゴム部分は片肺でもよい又ゴムを除き環状バネのみへ別部品を連携と連結もできる。
【００１０】図２は、部品２構成例を示す用具の分解正面図である。
２、板鋼材上部の懸腕部（７）が軸受を抱える、下部へフック（８）と、正面へ板バネクリップ（９）を設ける、裏面へもマグネット（１０）を施し用いることを特徴とする部品２の請求項１へ記述したパネルほか施用具。
部品２兼用固定型と懸腕部とクリップ間へ横四方回転軸またはヒンジ装置の２種類設ける、これに依り横四方どの角度からも使用が可能である。
裏面マグネットの施し可否は選択できる。
この部品２のみでは用を充たさず部品１へ連繋一体化して始めて本来施用役割を得る、部品２の背側がパネル表面に当り、方法１板バネクリップで掲示物書類等を挟む、方法２フックで額縁、写真パネル、展示物を吊る、下辺でも使用可能にする為に別ユニットを繋ぐ、方法３本体裏面のマグネットが留める、方法４テーブル、棚、机の如く横臥せ形状へ荷物を掛ける、方法５自動車室内窓脇丸形状把手を内径に納め挟み吊る、方法６渡しロープを中通しチラシ資料を吊り鋏む、方法７壜ボトル首へ巻き名札ラベルを繋ぐ、方法８掲示板表裏で活用する方法。
【００１１】
３、以上の如く構成した部品１を部品２と連繋一体化し多用途に用いることを特徴とする請求項１へ記述したパネルほか施用具。
部品１および部品２を連携一体化する事により、双方が凡そ９０度折曲し、部品２も回転軸作用で四方に横回転する、この為パネルほか相手凸物が四方向き、横臥せたテーブル、丸形状等環状板バネが掴め内径へ納まる物の殆どへ対応する。
【００１２】図３は部品２の荷重大対応用具構成例を示す側面図である。
部品１環状板バネへ部品２を貫き通す為板バネ横幅をやや広げ打抜く、部品２を部品１の環状板バネ内側で連携させ、平面仕様部分を部品１の打ち抜いた部分へ貫き通す、そこから部品１環状板バネに沿ってフックを形成し、バネ化したモデルであり、双方の開口部間隔を開いて環状形を守り部品２ほぼ同形となる、平面の内側へ相手物損傷防止用ゴム又はエラストマーを施している。
これは片方の手がハンドバック持った侭、一方の手で装着し易く手荷物等も掛け易くした実施の一例である。
部品１および２を逆の仕様も同一機能を保持できる。
部品１環状バネを開口し拡げて行くと環が大きくなり、その作用で環状板バネの外周ギリギリ迄部品２を引き寄せる、同時に部品２フックの平面部が負荷の懸かる側相手物を梃子にして支える、さらにバネ中央部を押さえ、用具の抜け落ちを抑える。
この使用方法は主に横臥せた凸物、荷重大へ対応、具体例を挙げれば買い物、旅行時などハンドバックと袋物を所持した侭レストラン、喫茶店へ入り荷物の置き場所に困る、背凭れの間りもテーブル或いは椅子へ暫時掛け置ける、しかも相手物を損傷せず抜け落ちない。
【００１３】図４は多角形環状バネ例を示す用具の側面図である。
部品１環状板バネが包含する別デザインとして存在する、焼入れバネ化する事に依り請求項１環状板バネとほぼ同一機能である。
【００１４】図５は部品２を棒状部材へ仕様例を示す用具の側面図である。
目的役割と効果は請求項１板鋼材仕様と同じであり、部品２本体を棒状部材へ切削ないし強化プラスチツク、ＡＢＳ等合成樹脂材を型仕様し同等の効果を得ることができる。
【００１５】図６は用途別単体部品２構成例を示す用具の側面図である。
課題を解決する手段へ記述した兼用型のほか、単体型施用に応え目的別、用途別役割を与え仕様する、部品２クリップタイプ、同じくフックタイプ、各々単体部品２化し、懸腕部固定型、回転軸型があり、裏面へマグネットを施し用いるパネルほか施用具である。
部品２は薄板バネ鋼材又はステンレス鋼材で仕様する場合、必ず焼入れパームバネ化する、厚みの部材へはその限りでない、用途別施用する場合マグネット不要の場合もある、また機能を保守しデザインを変化することもできる。
【００１６】図７は部品２の環状仕様例を示す用具の側面図である。
上記図３に示した部品２フック形状別デザインであり、使用目的方法は縦横両方凸物へ対応する、やや荷重大に応じる為にフックを小型化し部品１環状板バネ口へ近づけ用途を広くしたものである、相手物へ損傷防止用の平面部内側へゴム又はエラストマーを施している。
【００１７】図８は環状板バネへ名札取付け例を示す用具の正面図である。部品１の環状板バネを構成したピンおよび留めゴムを除き、部品２の名札ラベルを取付けている、使用方法胸名札、ビンボトルなど一例ビン首へ巻き鋏み名札ラベルを吊る事が出来る。
【００１８】以上実施の形態へ記述した多用途対応機能を整理し説明すると以下のとおりである。
１、部品１環状バネ自体資料等留め用具であり、パネル両面が活用できること。
２、部品１を部品２と連繋装着すれば兼用型、単体型の機能をいずれも活用できること。
３、部品１の左右双方へ部品２を連繋装着すればパネル両面で活用できること。
４、部品１の中心部へ設けた軸受へ部品２を連繋装着すれば環状物体、縦物体へも活用できること。
５、部品２は留める、鋏む、吊る機能を装備し多用途施用に応じられること。
６、部品１の主体は物体等を掴み鋏む、部品２はクリップで書類等留める、フックで掛けるまたは吊る、しかし両者を連繋一式して始めて各用具が活用可能となること。
この為部品１及び２共相手物体の形、条件等によりφ及びＲ大小広狭厚薄仕様デザインで対応する、用具の目的役割構成機能を守りデザインを変化させる事ができる、上述した用具のすべて、カラー仕上げができる、使用者の安全と保守を第一義とし部品の面取り、樹脂コーテングを施し製作することができる。
【００１９】
【発明の効果】
煩雑に見えるオフィス、机上には整理の着かないまま散らかしていたメモ書類、足下を覗いてみるとパネルの底と机の間にはメモや押しピンが幾つか落ちていた、この様な光景を眼にしていた、先ずパネル及び相手物体を傷つけず掴み鋏む環状板バネを開発し異なるパネル幅、厚みにも適応させる、是に書類、掲示物など留める、吊る等機能を装備した、さらに多様性に対応する為、その機能を単一部品、別ユニットに仕様した、活用すると従来のように不意に資料が脱落する事なく各スペースが整理整頓され目的の留める、鋏む、簡単ちょい吊る、繋ぐ用具として充分にその役割と効果を果たし又旅行時、買い物時等手軽に持ち運び、簡単装着、取り外し容易にした。
【図面の簡単な説明】
【図１】本発明の兼用型構成例を示す用具の全体正面図である
【図２】本発明の部品２構成例を示す用具の分解正面図である
【図３】本発明の部品２の荷重大対応用具構成例を示す側面図である
【図４】本発明の多角形環状板バネ例を示す用具の側面図である
【図５】本発明の部品２を棒状部材へ仕様例を示す用具の側面図である
【図６】本発明の用途別単体部品２構成例を示す用具の側面図である
【図７】本発明の部品２の環状仕様例を示す用具の側面図である
【図８】本発明の環状板バネへ名札取付例を示す用具の正面図である
【符号の説明】
１  板鋼材
２  両端部
３  軸受
４  環状板バネ
５  ピン
６  留めゴム
７  懸腕部
８  フック
９  板バネクリップ
１０  マグネット
【図１】
2005344730.tif 000003
【図２】
2005344730.tif 000004
【図３】
2005344730.tif 000005
【図４】
2005344730.tif 000006
【図５】
2005344730.tif 000007
【図６】
2005344730.tif 000008
【図７】
2005344730.tif 000009
【図８】
2005344730.tif 000010